(57)【特許請求の範囲】
【請求項１】
略板状のベース部の表面に人工芝が配設されたゴルフ練習用マットであって、
前記人工芝は、少なくともショット部分において、基布に複数本のパイルが複数の長さの階層に分布して植設されることにより、ゴルフボールを複数の高さで保持できるように構成されており、
前記ショット部分は、前記人工芝に芝目があり、マット本体に着脱及び回転自在に嵌め込まれた略円板状に形成されたものであり、
前記ショット部分には、略円板状に沿って等間隔に嵌合部が形成されており、前記マット本体の前記ショット部分の嵌込み位置には、前記嵌合部に対応する位置に等間隔に被嵌合部が形成されており、
前記嵌合部と前記被嵌合部を所定の角度で嵌め込んで、前記ショット部分を前記マット本体に所定の角度で嵌め込むようになっていることを特徴とするゴルフ練習用マット。
【発明の詳細な説明】
【技術分野】
【０００１】
本発明は、屋外または室内のゴルフ練習場や、ゴルファー（ゴルフ練習者）の自宅の庭や駐車場などに敷設して使用されるゴルフ練習用マットに関するものである。
【背景技術】
【０００２】
従来、この種のゴルフ練習用マットとしては、ゴルフ場のフェアウエーを想定したものが多く提案されている（例えば、特許文献１参照）。すなわち、このゴルフ練習用マットは、略板状のベース部の一部表面に人工芝が配設された構成を有しているが、ゴルフ場のフェアウエーで芝がほぼ均一の丈になるように刈り込まれていることに対応して、この人工芝では、不織布などの基布に複数本のパイル（芝糸）がほぼ同じ長さに揃うように植設されている。
【先行技術文献】
【特許文献】
【０００３】
【特許文献１】特開２０１３−２２０１１４号公報（段落〔０００２〕、〔００１２〕、〔００１８〕の欄、図１〜図３）
【発明の概要】
【発明が解決しようとする課題】
【０００４】
しかしながら、これでは、人工芝のパイルがすべて、ほぼ同じ長さに揃っており、フェアウエー用のショット練習には適する反面、ラフ用のショット練習には必ずしも適さないという不都合があった。
【０００５】
本発明は、このような事情に鑑み、ゴルフ場のラフ用のショット練習に好適なゴルフ練習用マットを提供することを目的とする。
【課題を解決するための手段】
【０００６】
かかる目的を達成するため、請求項１に記載の発明は、略板状のベース部の表面に人工芝が配設されたゴルフ練習用マットであって、前記人工芝は、少なくともショット部分において、基布に複数本のパイルが複数の長さの階層に分布して植設されることにより、ゴルフボールを複数の高さで保持できるように構成されており、前記ショット部分は、前記人工芝に芝目があり、マット本体に着脱及び回転自在に嵌め込まれた略円板状に形成されたものであり、前記ショット部分には、略円板状に沿って等間隔に嵌合部が形成されており、前記マット本体の前記ショット部分の嵌込み位置には、前記嵌合部に対応する位置に等間隔に被嵌合部が形成されており、前記嵌合部と前記被嵌合部を所定の角度で嵌め込んで、前記ショット部分を前記マット本体に所定の角度で嵌め込むようになっているゴルフ練習用マットとしたことを特徴とする。
【発明の効果】
【００１０】
請求項１に記載の発明によれば、人工芝は、少なくともショット部分において、基布に複数本のパイルが複数の長さの階層に分布して植設されることにより、ゴルフボールを複数の高さで保持できるように構成されているので、ゴルフ場のラフの芝に近似した状況を作り出すことができ、ゴルフ場のラフ用のショット練習に好適なゴルフ練習用マットを提供することが可能となる。
【００１１】
また、請求項１に記載の発明によれば、ショット部分がマット本体に着脱自在に嵌め込まれているので、ショット部分が消耗した場合には、そのショット部分だけを交換すれば済むので、ゴルフ練習用マット全体を交換することに比べて、ゴルフ練習用マットの維持費を安価に抑えることができる。
【００１２】
また、請求項１に記載の発明によれば、ショット部分は、人工芝に芝目があり、マット
本体に回転自在に嵌め込まれているので、ショット部分を適宜回転させることにより、こ
のショット部分の人工芝（パイル）の向きを任意に変えることができる。そのため、ゴル
ファーの要望に応じて、順目、逆目など種々の芝目でショット練習を行うことが可能とな
る。
【００１３】
さらに、請求項１に記載の発明によれば、ショット部分が略円板状に形成されているの
で、このショット部分を任意の角度で回転させることにより、芝目（順目、逆目など）を
きめ細かく設定することが可能となる。
【図面の簡単な説明】
【００１４】
【図１】本発明の実施の形態１に係るゴルフ練習用マットを示す模式図であって、（ａ）はその正面図、（ｂ）は斜め下から見た斜視図、（ｃ）は斜め上から見た斜視図である。
【図２】同実施の形態１に係るゴルフ練習用マットのマット本体を斜め上から見た斜視図である。
【図３】同実施の形態１に係るゴルフ練習用マットのショット部分を斜め下から見た斜視図である。
【図４】同実施の形態１に係るゴルフ練習用マットを用いてショット練習をするときの第１の様子を示す図である。
【図５】同実施の形態１に係るゴルフ練習用マットを用いてショット練習をするときの第２の様子を示す図である。
【図６】同実施の形態１に係るゴルフ練習用マットを用いてショット練習をするときの第３の様子を示す図である。
【図７】同実施の形態１に係るゴルフ練習用マットを用いてショット練習をするときの第４の様子を示す図である。
【図８】本発明の実施の形態２に係るゴルフ練習用マットを示す模式図であって、（ａ）はその正面図、（ｂ）は斜め下から見た斜視図、（ｃ）は斜め上から見た斜視図である。
【図９】同実施の形態２に係るゴルフ練習用マットのショット部分を斜め下から見た斜視図である。
【発明を実施するための形態】
【００１５】
以下、本発明の実施の形態について説明する。
【００１６】
［発明の実施の形態１］
図１乃至図７には、本発明の実施の形態１を示す。
【００１７】
実施の形態１に係るゴルフ練習用マット１は、図１に示すように、マット本体２にショット部分３がねじ方式によって４５°ピッチで回転自在に嵌め込まれて構成されている。
【００１８】
すなわち、マット本体２は、図１および図２に示すように、所定の大きさ（例えば、縦３０ｃｍ、横６０ｃｍ、厚さ７ｃｍ）の略長方形の板の中央部に所定の大きさ（例えば、直径２０ｃｍ、深さ７ｃｍ）の段付き丸孔が形成された形状を呈しており、ベース部２１の表面全体に人工芝２２が配設されて構成されている。さらに、人工芝２２は、不織布などの基布２２ａに複数本のパイル２２ｂがほぼ同じ長さ（例えば、５ｃｍ）に揃うように植設されて構成されている。
【００１９】
また、ベース部２１の中央部には、図２に示すように、段付き丸孔２３が形成されており、段付き丸孔２３は、大径部２３ａおよび小径部２３ｂを有している。小径部２３ｂには、その内周面に沿って８個の略Ｌ形の嵌合凹部２５が円周上に等角度間隔（つまり、４５°間隔）で形成されている。各嵌合凹部２５はそれぞれ、大径部２３ａ側に開口する鉛直経路２５ａと、この鉛直経路２５ａの下部に連通して水平方向に延伸する水平経路２５ｂとから構成されている。
【００２０】
一方、ショット部分３は、図１および図３に示すように、所定の大きさ（例えば、直径２０ｃｍ、厚さ７ｃｍ）の略円板状を呈しており、ベース部３１の表面全体に人工芝３２が配設されて構成されている。さらに、人工芝３２は、図４〜図７に示すように、不織布などの基布３２ａに複数本のパイル３２ｂが３つの長さ（例えば、５ｃｍ、４ｃｍ、３ｃｍ）の階層（上層Ｌ１、中間層Ｌ２および下層Ｌ３）に分布して植設されることにより、ゴルフボール５を３段階の高さで保持できるように構成されている。
【００２１】
なお、人工芝３２は、図４に示すように、ある方向（図４左向き）に傾く芝目があるとともに、ゴルフボール５を支持しやすくするため、パイル３２ｂの先端部が寝かせられている。
【００２２】
また、ベース部３１の中央部には、図３に示すように、円筒状のボス部３３が下向きに突設されており、ボス部３３には、その外周面に沿って８個の半円柱状の嵌合凸部３５が円周上に等角度間隔（つまり、４５°間隔）で形成されている。さらに、ボス部３３の内側には、略平板状の摘み３６がボス部３３と一体に取り付けられている。
【００２３】
そして、ショット部分３の各嵌合凸部３５がマット本体２の任意の嵌合凹部２５に嵌合することにより、ショット部分３がマット本体２に対して４５°ピッチで回転自在に嵌め込まれた状態になる。
【００２４】
なお、こうしてショット部分３の各嵌合凸部３５がマット本体２の嵌合凹部２５に嵌合した状態では、図１（ａ）、（ｂ）に示すように、ショット部分３のボス部３３や摘み３６がマット本体２のベース部２１の下面から下向きに突出することはなく、ゴルフ練習用マット１の下面が平坦になっている。
【００２５】
また、ゴルフ練習用マット１は、マット本体２にショット部分３が着脱自在に嵌め込まれて構成されている。すなわち、ショット部分３をマット本体２に取り付けるときには、マット本体２の段付き丸孔２３の上方からショット部分３を落とし込んで、ショット部分３の各嵌合凸部３５をマット本体２の各嵌合凹部２５の鉛直経路２５ａに嵌着した後、ショット部分３の下側から手指で摘み３６を把持して回転させて、各嵌合凸部３５を各嵌合凹部２５の鉛直経路２５ａから水平経路２５ｂの奥部へ移動させることにより、ショット部分３をマット本体２に取り付けることができる。逆に、ショット部分３をマット本体２から取り外すときには、ショット部分３の下側から手指で摘み３６を把持して回転させて、ショット部分３の各嵌合凸部３５をマット本体２の各嵌合凹部２５の水平経路２５ｂから鉛直経路２５ａへ移動させた後、ショット部分３を押し上げることにより、ショット部分３をマット本体２から取り外すことができる。
【００２６】
このように、ゴルフ練習用マット１では、ショット部分３において、人工芝３２の複数本のパイル３２ｂが上層Ｌ１、中間層Ｌ２および下層Ｌ３の３つの階層に分布して、ゴルフボール５を３段階の高さで保持できるので、ゴルフ場のラフの芝に近似した状況を作り出すことが可能となる。したがって、このゴルフ練習用マット１は、ゴルフ場のラフ用のショット練習に好適なものとなる。
【００２７】
すなわち、このゴルフ練習用マット１を用いてゴルファーがショット練習をする際には、ゴルフボール５を人工芝３２に押し付ける力を適宜加減することにより、様々なライを再現することができる。例えば、ゴルフボール５を人工芝３２に押し付ける力を弱くした場合には、図４および図５に示すように、人工芝３２の上層Ｌ１のパイル３２ｂ上にゴルフボール５が置かれた状態になるため、このゴルフボール５をクラブ６で打つことにより、図４に示すように、通常のショット練習をすることができるとともに、図５に示すように、ダフ（ダフり）のショット練習をすることができる。また、ゴルフボール５を人工芝３２に押し付ける力を強くした場合には、図６に示すように、人工芝３２の下層Ｌ３のパイル３２ｂ上にゴルフボール５が置かれた状態になるため、強度のフライヤーライが再現される。さらに、ゴルフボール５を人工芝３２に押し付ける力をその中間にした場合には、図７に示すように、人工芝３２の中間層Ｌ２のパイル３２ｂ上にゴルフボール５が置かれた状態になるため、軽度のフライヤーライが再現される。
【００２８】
このとき、人工芝３２は、上述したとおり、ゴルフボール５を支持しやすくするため、パイル３２ｂの先端部が寝かせられているので、ゴルファーの意思に反してゴルフボール５が沈み込む事態を未然に防止することができる。
【００２９】
また、ゴルフ練習用マット１は、上述したとおり、ショット部分３の人工芝３２に芝目があるとともに、このショット部分３がマット本体２に対して回転自在に設けられているので、ショット部分３を適宜回転させることにより、このショット部分３の人工芝３２（パイル３２ｂ）の向きを任意に変えることができる。そのため、ゴルファーの要望に応じて、順目、逆目など種々の芝目でショット練習を行うことが可能となる。例えば、図４〜図７に示すように、逆目のショット練習を行った後、ショット部分３を１８０°回転させれば、ゴルフ練習用マット１全体を１８０°回転させなくても順目のショット練習を行うことができる。
【００３０】
さらに、ゴルフ練習用マット１は、上述したとおり、ショット部分３が略円板状に形成されているので、このショット部分３を任意の角度で回転させることにより、芝目（順目、逆目など）をきめ細かく設定することが可能となる。
【００３１】
また、ゴルフ練習用マット１は、上述したとおり、その下面が平坦になっているため、平坦な場所であれば、どこでも容易に（設置用の特別なアタッチメントなどを用いることなく）設置できることから、ゴルフ練習用マット１の汎用性を高めることが可能となる。
【００３２】
これに加えて、ゴルフ練習用マット１は、上述したとおり、マット本体２に対してショット部分３が着脱自在に設けられているので、その維持費を安価に抑えることができる。すなわち、ゴルフのショット練習に伴って消耗するのは主にショット部分３であり、このショット部分３が消耗した場合には、そのショット部分３だけを交換すれば済むので、ゴルフ練習用マット１全体を交換することに比べて、ゴルフ練習用マット１の維持費を安価に抑えることが可能となる。
【００３３】
［発明の実施の形態２］
図８および図９には、本発明の実施の形態２を示す。
【００３４】
実施の形態２に係るゴルフ練習用マット１は、図８および図９に示すように、ねじ方式ではなくボルト方式でショット部分３がマット本体２に嵌め込まれている点を除き、上述した実施の形態１と同じ構成を有している。なお、実施の形態１と同一の部材については、同一の符号を付してその説明を省略する。
【００３５】
すなわち、このゴルフ練習用マット１では、図８に示すように、マット本体２のベース部２１の中央部に、ボルト挿通孔２７がベース部２１の厚さ方向に貫通して形成されているとともに、このボルト挿通孔２７を取り巻くように８個の丸孔２６がベース部２１の厚さ方向に貫通する形で円周上に等角度間隔（つまり、４５°間隔）で形成されている。また、ショット部分３のベース部３１の中央部には、図９に示すように、ボルト３７が下向きに突設されているとともに、このボルト３７を取り巻くように４個の円柱状の突起４０がベース部３１の厚さ方向に貫通する形で円周上に等角度間隔（つまり、９０°間隔）で形成されている。さらに、ボルト３７には座金３８およびナット３９が着脱自在に取り付けられている。そして、ショット部分３のボルト３７がマット本体２のボルト挿通孔２７に挿通されるとともに、ショット部分３の突起４０がマット本体２の任意の丸孔２６に嵌合することにより、ショット部分３がマット本体２に対して４５°ピッチで回転自在に嵌め込まれた状態になる。
【００３６】
なお、マット本体２のベース部２１には、図８（ｂ）に示すように、下面の中央部に円形の座掘り（凹部）２９が形成されており、この座掘り２９にショット部分３のボルト３７、座金３８、ナット３９が位置するように構成されている。そのため、ショット部分３がマット本体２に嵌め込まれた状態では、図８（ａ）に示すように、ショット部分３のボルト３７、座金３８、ナット３９がマット本体２のベース部２１の下面から下向きに突出することはなく、ゴルフ練習用マット１の下面が平坦になっている。
【００３７】
したがって、この実施の形態２では、上述した実施の形態１と同じ作用効果を奏する。また、ゴルフ練習用マット１の下面が平坦になっているため、平坦な場所であれば、どこでもゴルフ練習用マット１を容易に設置できることから、ゴルフ練習用マット１の汎用性を高めることが可能となる。
【００３８】
［発明のその他の実施の形態］
なお、上述した実施の形態１では、マット本体２にショット部分３を嵌め込む方式として、ねじ方式を採用し、上述した実施の形態２では、ボルト方式を採用する場合について説明した。しかし、マット本体２にショット部分３を嵌め込む方式は、ねじ方式やボルト方式に限るわけではなく、その他の方式を採用することも可能である。
【００３９】
また、上述した実施の形態１、２では、ショット部分３のみにおいて、人工芝３２が３つの階層構造を有しているゴルフ練習用マット１について説明した。しかし、ゴルフ練習用マット１全体において（ショット部分３とマット本体２の両方において）、人工芝２２、３２が３つの階層構造を有していても構わない。すなわち、少なくともショット部分３において、人工芝３２が３つの階層構造を有していれば十分である。
【００４０】
また、上述した実施の形態１、２では、人工芝３２の複数本のパイル３２ｂが上層Ｌ１、中間層Ｌ２および下層Ｌ３の３つの階層に分布しているゴルフ練習用マット１について説明した。しかし、この階層の数は３つに限るわけではなく、複数（２つ以上）であれば何個でも構わない。
【００４１】
また、上述した実施の形態１、２では、基布２２ａ、３２ａと複数本のパイル２２ｂ、３２ｂのみからなる人工芝２２、３２について説明したが、基布２２ａ、３２ａの下側にクッション性のあるアンダーパット（図示せず）を貼設して人工芝を構成しても構わない。
【００４２】
また、上述した実施の形態１、２では、ショット部分３がマット本体２に対して４５°ピッチで回転自在に嵌め込まれたゴルフ練習用マット１について説明した。しかし、嵌合凸部３５や突起４０の個数（角度間隔）を適宜増減することにより、ショット部分３の回転ピッチを任意の角度に設定することができる。ショット部分３の回転ピッチが狭くなるほど、芝目（順目、逆目など）をきめ細かく設定することが可能となり、ゴルフ練習用マット１の有用性が向上する。
【００４３】
また、上述した実施の形態１、２では、水平なゴルフ練習用マット１について説明したが、実際のゴルフ場のアンジュレーションに対応させるべく、ゴルフ練習用マット１の上面（ショット面）に曲面状の起伏を付与したり、この上面を傾斜させたりすることもできる。或いは、ゴルフ練習用マット１自体は平板状であっても、例えば、くさび形のプレート（図示せず）を介してゴルフ練習用マット１を設置することにより、ゴルフ練習用マット１を所望の方向に傾斜させることも可能である。
【００４４】
また、上述した実施の形態１、２では、ゴルフ練習用マット１の下面が平坦になっている場合について説明したが、ゴルフ練習用マット１の設置場所などの状況によっては、必ずしもゴルフ練習用マット１の下面を平坦にする必要はない。
【００４５】
さらに、上述した実施の形態１、２では、人工芝３２の複数本のパイル３２ｂが３つの階層に分布してゴルフボール５を３段階の高さで保持できるように構成されたゴルフ練習用マット１について説明したが、このパイル３２ｂの硬さや密度を適宜加減することにより、ゴルフボール５の沈み込み具合やショット時の人工芝３２の抵抗をある程度調整することも可能である。
【産業上の利用可能性】
【００４６】
本発明は、屋外または室内のゴルフ練習場のほか、ゴルファーの自宅の庭や駐車場などにおいて、ゴルフのショット練習をするためのゴルフ練習用マットに適用することができる。
【符号の説明】
【００４７】
１……ゴルフ練習用マット
２……マット本体
３……ショット部分
５……ゴルフボール
２１……ベース部
２２……人工芝
２２ａ……基布
２２ｂ……パイル
３１……ベース部
３２……人工芝
３２ａ……基布
３２ｂ……パイル
Ｌ１……上層
Ｌ２……中間層
Ｌ３……下層
【図１】
0006537063.tif 000002
【図２】
0006537063.tif 000003
【図３】
0006537063.tif 000004
【図４】
0006537063.tif 000005
【図５】
0006537063.tif 000006
【図６】
0006537063.tif 000007
【図７】
0006537063.tif 000008
【図８】
0006537063.tif 000009
【図９】
0006537063.tif 000010